(57)【要約】  本発明は、医療作業又は外科手術用の収集ライナ３、２１に関する。収集ライナ３、２１は、閉鎖した可撓性のバッグ部分１２、２２を備える。閉鎖した可撓性のバッグ部分１２、２２は、幅方向Ｗと、長さ方向Ｌとを有する。閉鎖した可撓性のバッグ部分１２、２２は、長さ方向のバッグ部分の上部部分３８と、長さ方向のバッグ部分の下部部分４１とを備える。バッグ部分１２、２２の下部部分４１は、下部部分４１の下部容積全体が上部部分３８の内部で逆さまになるに、バッグ部分１２、２２の上部部分３８の内部に折りたたまれる。
2021513899.tif 000002
【特許請求の範囲】
【請求項１】
閉鎖した可撓性のバッグ部分（１２、２２）を備えた、医療作業又は外科手術用の収集ライナ（３、２１）であって、前記閉鎖した可撓性のバッグ部分（１２、２２）は、幅方向（Ｗ）及び長さ方向（Ｌ）を有し、前記長さ方向の前記バッグ部分の上部部分（３８）及び前記長さ方向の前記バッグ部分の下部部分（４１）を備え、前記下部部分（４１）は下部容積を有する、前記収集ライナ（３、２１）において、
前記バッグ部分（１２、２２）の前記下部部分（４１）は、前記バッグ部分（１２、２２）の前記上部部分（３８）の内部に折りたたまれて、前記下部部分（４１）の前記下部容積全体が前記上部部分（３８）の内部で逆さまになるようになっていることを特徴とする収集ライナ（３、２１）。
【請求項２】
前記バッグ部分（１２、２２）の前記上部部分（３８）と前記バッグ部分の前記下部部分（４１）との間に折り目（４４）が存在することを特徴とする、請求項１に記載の収集ライナ（３、２１）。
【請求項３】
前記収集ライナ（３、２１）は、前記幅方向（Ｗ）の第１の縁部（３４）と、前記幅方向（Ｗ）の第２の縁部（３５）とを備え、前記収集ライナ（３、２１）は、前記第１の縁部（３４）及び前記第２の縁部（３５）が連結ストリップ（３６）によって一緒に接着されて前記幅方向（Ｗ）に折りたたまれるようになっていることを特徴とする、請求項１又は２に記載の収集ライナ。
【請求項４】
前記連結ストリップ（３６）は接着ラベルであることを特徴とする、請求項３に記載の収集ライナ。
【請求項５】
前記可撓性のバッグ部分（１２）は、蓋（４）によって閉鎖されるようになっていることを特徴とする、請求項１から４までのいずれかに記載の収集ライナ。
【請求項６】
前記可撓性のバッグ部分（２２）は、ハンドル（２３）によって閉鎖されるようになっていることを特徴とする、請求項１から４までのいずれかに記載の収集ライナ。
【発明の詳細な説明】
【技術分野】
【０００１】
本発明は、医療作業又は外科手術用の収集ライナに関する。収集ライナは、閉鎖した可撓性のバッグ部分を備える。閉鎖した可撓性のバッグ部分は、幅方向および長さ方向を有する。バッグ部分は、長さ方向のバッグ部分の上部部分と、長さ方向のバッグ部分の下部部分も備える。
【背景技術】
【０００２】
収集ライナは、医療作業又は外科手術中に使用される。そのような作業においては、動作不良が生じないことが極めて重要である。収集ライナは、所定の容積の流体を取り入れることになっている。収集ライナが収集キャニスタの内部で適切に開かなかった場合に見られる、収集ライナの縮んだ部分によって危険に曝される可能性がある。さらに、真空が、ライナが最終的には破損するようなやり方で、不完全に開いた可撓性の収集ライナの任意の部分を伸ばし始める可能性もある。
【０００３】
他の問題は、それらはおおよそ同じサイズであるため、収集ライナを収集キャニスタにはめ込むのに多大な努力を必要とすることである。このことは、収集ライナを取り替える過程を遅らせる虞がある。
【発明の概要】
【発明が解決しようとする課題】
【０００４】
本発明の目的は、上記の問題を克服するように収集ライナを提供することである。
【課題を解決するための手段】
【０００５】
本発明の目的は、独立請求項の記載によって特徴付けられる収集ライナによって達成される。本発明の好ましい実施例は、従属請求項に開示されている。
本発明の収集ライナの利点は、それを容易に、且つ確実に収集キャニスタ内に組み合わせることができる点である。バッグ部分を手で調整する必要はなく、バッグ部分は、有利なやり方でキャニスタの内部にそれ自体で設置する。
【０００６】
収集ライナは、閉鎖した可撓性のバッグ部分を備える。可撓性のバッグ部分は、閉鎖器具によって閉鎖されている。バッグ部分は、例えば蓋又はハンドルによって閉鎖されてもよい。閉鎖器具、例えば蓋又はハンドルは、必要なあらゆる注入口を備えており、例えば真空用の注入口、収集管用の注入口、又は凝固剤などの他の物質用の注入口などを備える。よって、閉鎖したバッグ部分へのいかなる入り口も、閉鎖器具を通過し得る。
【０００７】
閉鎖した可撓性のバッグ部分は、その厚さがバッグ部分全体を通してほぼ同一である可撓性のプラスチックフィルムでできている。閉鎖した可撓性のバッグ部分は、幅方向と、長さ方向とを有する。閉鎖した可撓性のバッグ部分は、幅方向の第１の縁部と、幅方向の第２の縁部とを有する。バッグ部分の幅は典型的には、バッグ部分の長さ方向全体を通してほぼ一定であり、可能性のある例外は、底部のシームがアーチ形にされる場合があることから、バッグ部分の底部シームのところである。バッグ部分が空であるとき、第１の縁部と第２の縁部の間で、バッグ部分は実質的に平らである。
【０００８】
長さ方向において、閉鎖した可撓性のバッグ部分は、バッグ部分の上部部分と、バッグ部分の下部部分とを有する。下部のバッグ部分は、下部容積を有する。下部容積は、流体を収容することが可能な下部バッグ部分の空間を指す。下部容積の他に、バッグ部分の下部部分は、例えば、補助ハンドルを備える底部部分を備えてもよい。バッグ部分の下部部分は、下部部分の下部容積全体が上部部分の内部で逆さま（アップサイドダウン）になるようなやり方でバッグ部分の上部部分の内部に折りたたまれる。さらに、収集ライナはまた、第１の縁部と第２の縁部が連結ストリップによって一緒に接着されるようなやり方で、幅方向に折りたたまれてよい。連結ストリップは、接着ラベル、又は別の好適な締結手段であってよい。
【０００９】
収集ライナが利用される際、可撓性のバッグ部分は、収集キャニスタの内部に置かれる、すなわち収集ライナは、収集キャニスタの内部に設置される。収集ライナに蓋が備わっている場合、蓋がキャニスタの開放端を閉鎖する。収集ライナにハンドルが備わっている場合、ハンドルは、収集管用の注入口がキャニスタの本体と蓋との間から延びるようなやり方でキャニスタの本体とキャニスタの蓋との間に配置される。
【００１０】
収集ライナの開放は、収集キャニスタと収集ライナとの間の圧力差によって支援される。収集キャニスタが真空にされ空気が収集ライナに導かれると、収集ライナは膨張し始め、存在する場合、連結ストリップがちぎれる。これにより、バッグ部分の上部部分は、キャニスタの内壁と接触する。バッグ部分の下部部分は、バッグ部分の上部部分の内部に折りたたまれており、キャニスタの底部に向かって回転しながら伸び始める。収集ライナは回転しながら伸びるため、バッグ部分がキャニスタの側壁をこすることはない。上記に挙げた事実に加えて、膨張した収集ライナの向かい合う側部も互いにこすり合うことはできない。このことは、ライナの開放に必要とされる力を最小限にする。よって、バッグ部分が、キャニスタの側壁又はそれ自体にくっつくことはない。このことは重要であり、その理由は、キャニスタの側壁又はそれ自体にくっつくバッグ部分は、縮んだ部分を有する可能性があり、よってバッグ部分は、想定されるより少ない流体を取り込む可能性があるためである。このことは、流体収集システムの動作不良を招く可能性がある。
【００１１】
以下において、本発明を、添付の図面を参照して好ましい実施例によってより詳細に説明する。
【図面の簡単な説明】
【００１２】
【図１】収集キャニスタの内部での、蓋を備えた折りたたまれた収集ライナの断面図である。
【図２】収集キャニスタの内部での、蓋を備えた広げられた収集ライナの断面図である。
【図３】上からの、蓋を備えた収集ライナを示す図である。
【図４】ハンドルを備えた収集ライナの断面図である。
【図５】収集キャニスタの内部での、ハンドルを備えた折りたたまれた収集ライナの断面図である。
【図６】折りたたまれたときのハンドルを備えた収集ライナの側面図である。
【図７】折りたたまれたときのハンドルを備えた収集ライナと、収集管の側面図である。
【図８】収集キャニスタの内部での、広げられた収集ライナの断面図である。
【発明を実施するための形態】
【００１３】
収集ライナ３及び２１が、図１から図８に示されており、これらは本発明に関連して使用できる収集ライナの実例である。
【００１４】
図１は、収集キャニスタ１の内部での、蓋４を備えた収集ライナ３の断面図を示す。文字Ｌは、収集ライナの長さ方向を示し、文字Ｗは、収集ライナ３の幅方向を指している。
【００１５】
収集キャニスタ１は、一端で開放している。収集キャニスタ１に合わせて準備されてよく、且つ可撓性のバッグ部分１２を備える収集ライナ３は、蓋４に固定式に締結される。蓋４は、統一された部品であってよい。蓋４には、外科的又は内科的場所から流体を運ぶ収集管用の注入口５が備わっている。
【００１６】
収集キャニスタ１には、真空ポート２が備わっており、これは、負圧の供給源と流れ接続している。真空は、真空用の注入口１３を通して吸引を生じさせる。真空用の注入口１３は、収集ライナ３の蓋４にあるチャネル７及び収集キャニスタ１にあるチャネル１０を通して真空ポート２に接続されている。真空用の注入口１３は、疎水性フィルタ１４を備える。
【００１７】
収集ライナ３は、収集ライナ３の下部部分４１の下部容積が、収集ライナ３の上部部分３８の内部に折りたたまれるようなやり方で、すなわち下部部分４１の下部容積が逆さまになるようなやり方で折りたたまれる。さらに、収集ライナ３の第１の縁部３４及び収集ライナ３の第２の縁部３５は、接着ラベル、又は別の好適な締結手段であり得る連結ストリップ３６によって一緒に接着される。
【００１８】
図２は、収集キャニスタ１の内部での、蓋４を備えた広げられた収集ライナ３の断面図を示す。収集ライナ３の開放は、キャニスタ１と収集ライナ３との間の圧力差によって支援される。収集キャニスタ１が真空にされ空気が収集ライナ３に導かれると、収集ライナは膨張し始め、存在する場合、連結ストリップ３６がちぎれる。連結ストリップ３６は通常、それぞれの部分がバッグ部分にくっついたまま留まり、それ故、収集キャニスタはきれいな状態のままであるようなやり方で２つの部分にちぎれる。連結ストリップ３６には、連結ストリップ３６の分裂を誘導する打ち抜き穴が備わっていてもよい。
【００１９】
バッグ部分１２の上部部分３８は、それが、収集キャニスタ１の内壁と接触するようなやり方で広がる。バッグ部分１２の下部部分４１は、バッグ部分の上部部分の内部に折りたたまれており、キャニスタ１の底部に向かって回転しながら伸び始める。よって、図２に示されたように、バッグ部分は、収集キャニスタの中に確実に広げられる。
【００２０】
実際には、収集ライナ３は、収集キャニスタ１上に据えられ、真空が作動される。その後、蓋４の中心が軽く押され、収集ライナ３が開放する。収集ライナが開放されるとき、収集管は閉鎖される。真空が蓋を収集キャニスタ１の縁の上のその所定の位置に吸い込み、真空は止められる。収集ライナは使用するための準備が整う。
【００２１】
図３は、収集ライナ構成の上面図である。図１及び図２を参照して開示した部品に加えて、図３は、使用後、収集管コネクタ１５を閉鎖するために蓋４に組み込まれたプラグ８と、試料を採取するため、及び空にするために収集ライナ構成を順番に接続するのに使用される取り付け具９を示す。
【００２２】
図４は、断面図として収集ライナ２１を示す。収集ライナは、可撓性のプラスチックフィルムでできた閉鎖したバッグ部分２２と、ハンドル２３とを備える。ハンドル２３は、手掛けとして機能するが、ハンドル２３の内部には機能的なチャネルも存在する。バッグ部分２２及びハンドル２３は、吸入口２４、２５、２６がハンドル２３の内部に進み、バッグ部分の中へと開放するが、それ以外ではバッグ部分２２はシーム４８によって閉鎖されるようなやり方で互いに装着されている。吸入口２４は真空用である。真空は、開口２９を通して収集ライナ２１に接続されている。真空用の吸入口２４には、疎水性フィルタ２７が存在する。吸入口２５は収集管用である。吸入口２５は、収集管が連結される第１の端部と、バッグ部分２２へと開放する第２の端部とを有する。吸入口２６は、収集ライナ２１の内部に入る凝固剤用又は任意の他の化学添加剤用である。
【００２３】
各吸入口２４、２５、２６には、逆流阻止手段、すなわち逆流阻止具が備わっている。真空用の吸入口２４は、液体がそこに到達した場合に膨張し、それにより流れを閉鎖する疎水性フィルタ２７を備える。収集管用の吸入口２５及び凝固剤用の吸入口２６は、バッグ部分２２の内部では薄いプラスチック管で周りを囲まれる。薄いプラスチック管は、吸入口に直接締結される。それは、逆止弁２８を形成する。逆止弁２８は、薄いプラスチック管の内部の圧力がその周りよりも高くなったときに初めて開放する。薄いプラスチック管は、例えば溶接によって一緒に接合された２つの平行なフィルムを備える。このような構造は、縁部に開口を持たずに、プラスチック管を適切に密閉することを確実にする。
【００２４】
バッグ部分２２の底部には補助ハンドル３０が存在する。補助ハンドル３０は、バッグ部分２２を閉鎖するシーム４９の下に形成されるスリットであってよい。上記に挙げたシーム４９と平行する別のシーム５０が存在してもよい。
【００２５】
図５は、キャニスタ６の内部での収集ライナ２１を示す。収集キャニスタ６には蓋１１が備わっている。バッグ部分２２は、バッグ部分の下部部分４１が、折り目４４が形成されるようなやり方で上部部分３８の内部に折りたたまれるようなやり方で折りたたまれる。
【００２６】
バッグ部分は、幅方向の第１の縁部３４と、幅方向の第２の縁部３５とを備える。第１の縁部３４及び第２の縁部３５は、ラベルなどの連結ストリップ３６によって一緒に接着される。連結ストリップ３６は、打ち抜き穴３７を備えてもよい。
【００２７】
図６及び図７は、折りたたまれた収集ライナ２１を示す。図７の収集ライナ２１には、キャップ３３が備わったアダプタ３２を備えた収集管３１が備わっている。
【００２８】
図８は、キャニスタ６の内部での開放した収集ライナ２１を示す。収集ライナ２１の開放は、キャニスタ６と収集ライナ２１との間の圧力差によって支援される。収集キャニスタ６が真空にされ空気が収集ライナ２１に導かれると、収集ライナは、膨張し始め、存在する場合、連結ストリップ３６がちぎれる。打ち抜き穴３７によって、ちぎれやすくなる。連結ストリップ３６は通常、それぞれの部分がバッグ部分にくっついたまま留まり、それ故、収集キャニスタはきれいな状態のままであるようなやり方で２つの部分にちぎれる。よって、バッグ部分２２の上部部分３８は、それがキャニスタ６の内壁と接触するようなやり方で広がる。バッグ部分２２の下部部分４１の下部容積は、バッグ部分２２の上部部分３８の内部に折りたたまれており、キャニスタ６の底部に向かって回転しながら伸び始める。バッグ部分の折りたたまれた部分が互いに当たってこすることはなく、バッグ部分が、キャニスタの側壁にくっつく可能性も全くない。よって、バッグ部分は、収集キャニスタの中に確実に広げられる。
【００２９】
実際には、収集ライナ２１が、収集キャニスタ６の中に据えられる。収集キャニスタ６の蓋１１が閉鎖される。収集管３１が閉鎖される。収集キャニスタ６が真空にされる。収集ライナ２１の内側部分は、吸引ポートを介して、又は凝固用ポートを介して空気に接続される。空気が、収集ライナへと流れ込み、疎水性フィルタ２７を通って収集ライナ２１から収集キャニスタ６へと流れ始める。収集キャニスタと収集ライナとの間の圧力差が、バッグ部分の上部部分が収集キャニスタ６の内壁と接触するようなやり方で収集ライナ２１を開放する。
【００３０】
その後、下部部分が、収集キャニスタ６の底部に向かって回転しながら伸びる。収集ライナ２１の組立が完了すると、収集キャニスタ６内の真空が止められ、周辺空気との接点が閉じられる。上記に挙げた工程は、好適な収集コンテナ構成によって自動的に達成されてよい。
【００３１】
技術的な進歩として本発明の概念は様々な方法で実現され得ることは当業者に明白であろう。本発明及びその実施例は、上記に記載した実例に限定されるものではなく、クレームの範囲内で変化させてよい。
【図１】
2021513899.tif 000003
【図２】
2021513899.tif 000004
【図３】
2021513899.tif 000005
【図４】
2021513899.tif 000006
【図５】
2021513899.tif 000007
【図６】
2021513899.tif 000008
【図７】
2021513899.tif 000009
【図８】
2021513899.tif 000010
【国際調査報告】
2021513899.tif 000011
2021513899.tif 000012